(57)【要約】【課題】クロック発振回路から発生する高調波やスプリアス等のノイズの干渉による受信障害を確実に阻止することができると共に、受信周波数の高速での切り換えができ、しかも低廉化に寄与し得るようにする。【解決手段】次に切り換える予定の受信周波数が記憶部３２６に記憶されている第１領域に属する場合で第１クロック発振回路３２４を用いている場合に、第２クロック発振回路３２５を一定時間だけ第１クロック発振回路３２４と同時に駆動させ、その後に第２クロック発振回路３２５の駆動のみに切り換える一方、次に切り換える予定の受信周波数が記憶部３２６に記憶されている第１領域に属しない場合で第２クロック発振回路３２５を用いている場合に、第１クロック発振回路３２４を一定時間だけ第２クロック発振回路３２５と同時に駆動させ、その後に第１クロック発振回路３２４の駆動のみに切り換えるようにする。【選択図】図１
2006325252.tif 000002
【特許請求の範囲】
【請求項１】
局部発振回路の発振周波数を設定変更するＰＬＬ回路に対し選局信号を送信することにより、所定の放送周波数帯域において所定のステップ周波数単位で設定された受信周波数に切り換え、その切り換えた受信周波数に放送電波が存在する場合に当該放送電波を受信するようにしたマイクロコンピュータにより自動チューニングされるスーパーヘテロダイン方式のラジオ受信機を構成するための選局装置であって、
前記マイクロコンピュータを動作させるためのクロック信号を生成する所定の発振周波数を有する第１クロック発振回路と、
受信する放送電波が前記第１クロック発振回路から発生するノイズにより干渉を受ける場合に当該第１クロック発振回路に代えて用いる当該第１クロック発振回路とは異なる発振周波数を有するクロック発振回路であり、発生するノイズにより当該放送電波に対して干渉を与えないように発振周波数が選択された第２クロック発振回路と、
前記放送周波数帯域を前記第１クロック発振回路から発生するノイズにより放送電波に対して干渉を与える周波数範囲であって当該周波数範囲においては前記第２クロック発振回路から発生するノイズによっては当該放送電波に対して干渉を与えない所定幅の第１領域及び前記第１クロック発振回路から発生するノイズによっては干渉を与えない周波数範囲である所定幅の第２領域に区分すると共に、これら２種類の領域のうち第１領域が記憶された記憶部と、
前記ステップ周波数単位で設定された受信周波数に切り換えるときに、次に切り換える予定の受信周波数が前記記憶部に記憶されている第１領域に属するか否かを判別する領域判別部と、
次に切り換える予定の受信周波数が前記記憶部に記憶されている第１領域に属する場合で前記第１クロック発振回路を用いている場合に、前記第２クロック発振回路を一定時間だけ前記第１クロック発振回路と同時に駆動させ、その後に当該第２クロック発振回路の駆動のみに切り換える一方、次に切り換える予定の受信周波数が前記記憶手段に記憶されている第１領域に属しない場合で前記第２クロック発振回路を用いている場合に、前記第１クロック発振回路を一定時間だけ前記第２クロック発振回路と同時に駆動させ、その後に当該第１クロック発振回路の駆動のみに切り換える切換制御部と、
を備えたことを特徴とする選局装置。
【請求項２】
前記切換制御部は、第１クロック発振回路から第２クロック発振回路への切り換え又は第２クロック発振回路から第１クロック発振回路への切り換えを次の受信周波数に切り換える前に行うものであることを特徴とする請求項１記載の選局装置。
【請求項３】
前記第１クロック発振回路及び前記第２クロック発振回路はそれぞれ発振素子と当該発振素子に直列接続された電子スイッチ素子とを含み、前記切換制御手段は各電子スイッチ素子をオンオフ制御することによりクロック発振回路を切り換えるものであることを特徴とする請求項１又は２記載の選局装置。
【請求項４】
局部発振回路の発振周波数を設定変更するＰＬＬ回路に対し選局信号を送信することにより、所定の放送周波数帯域において所定のステップ周波数単位で設定された受信周波数に切り換え、その切り換えた受信周波数に放送電波が存在する場合に当該放送電波を受信するようにしたマイクロコンピュータにより自動チューニングされるスーパーヘテロダイン方式のラジオ受信機であって、
前記マイクロコンピュータを動作させるためのクロック信号を生成する所定の発振周波数を有する第１クロック発振回路と、
受信する放送電波が前記第１クロック発振回路から発生するノイズにより干渉を受ける場合に当該第１クロック発振回路に代えて用いる当該第１クロック発振回路とは異なる発振周波数を有するクロック発振回路であり、発生するノイズにより当該放送電波に対して干渉を与えないように発振周波数が選択された第２クロック発振回路と、
前記放送周波数帯域を前記第１クロック発振回路から発生するノイズにより放送電波に対して干渉を与える周波数範囲であって当該周波数範囲においては前記第２クロック発振回路から発生するノイズによっては当該放送電波に対して干渉を与えない所定幅の第１領域及び前記第１クロック発振回路から発生するノイズによっては干渉を与えない周波数範囲である所定幅の第２領域に区分すると共に、これら２種類の領域のうち第１領域が記憶された記憶部と、
前記ステップ周波数単位で設定された受信周波数に切り換えるときに、次に切り換える予定の受信周波数が前記記憶部に記憶されている第１領域に属するか否かを判別する領域判別部と、
次に切り換える予定の受信周波数が前記記憶部に記憶されている第１領域に属する場合で前記第１クロック発振回路を用いている場合に、前記第２クロック発振回路を一定時間だけ前記第１クロック発振回路と同時に駆動させ、その後に当該第２クロック発振回路の駆動のみに切り換える一方、次に切り換える予定の受信周波数が前記記憶部に記憶されている第１領域に属しない場合で前記第２クロック発振回路を用いている場合に、前記第１クロック発振回路を一定時間だけ前記第２クロック発振回路と同時に駆動させ、その後に当該第１クロック発振回路の駆動のみに切り換える切換制御部と、
を備えたことを特徴とするラジオ受信機。
【請求項５】
前記切換制御部は、第１クロック発振回路から第２クロック発振回路への切り換え又は第２クロック発振回路から第１クロック発振回路への切り換えを次の受信周波数に切り換える前に行うものであることを特徴とする請求項４記載のラジオ受信機。
【請求項６】
前記第１クロック発振回路及び前記第２クロック発振回路はそれぞれ発振素子と当該発振素子に直列接続された電子スイッチ素子とを含み、前記切換制御手段は各電子スイッチ素子をオンオフ制御することによりクロック発振回路を切り換えるものであることを特徴とする請求項４又は５記載のラジオ受信機。
【発明の詳細な説明】
【技術分野】
【０００１】
本発明は、スーパーヘテロダイン方式のラジオ受信機を構成する選局装置及びラジオ受信機に関する。
【背景技術】
【０００２】
近年、スーパーヘテロダイン方式を採用したラジオ受信機では、マイクロコンピュータにより自動チューニングするように構成されたものが多用されている。このようなラジオ受信機では、マイクロコンピュータを動作させるクロック発振回路から発生する高調波やスプリアス等のノイズによる干渉を受けてＳ／Ｎ比が悪化したり、ノイズがハイレベルの場合には放送電波と誤認して同調回路がロックされ、スピーカから大きな雑音が出力されたりして正常な受信が阻害されるという事態が生じる。
【０００３】
このため、従来のラジオ受信機では、一般的には、クロック発振回路から発生する高調波やスプリアス等のノイズの周波数が放送電波の周波数からできるだけ離間した値になるように水晶発振子等の発振素子の基本周波数を適切なものに変更したり、ノイズ発生源を高周波回路部から遠ざけたり、ノイズ発生源をシールドしたりすることにより正常な受信が阻害されないようにしていた。また、クロック発振回路の発振周波数を回路素子の定数を変更させる等してシフトさせることにより正常な受信が阻害されないようにする場合もあった。
【０００４】
一方、発振素子の基本周波数を変更するものでは、一定の放送電波には対応できても広い周波数範囲に亘って放送電波が多数存在する場合には十分に対応できないことになり、ノイズ発生源を高周波回路部から遠ざけたり、ノイズ発生源をシールドしたりするものでは、ラジオ受信機が不可避的に大型化してしまうことから小型化が要望される状況下においては十分な対応が不可能になり、クロック発振回路の発振周波数をシフトさせるものでは、そのシフト量が僅かなもので十分な対応ができないことから、発振周波数の異なる２つのクロック発振回路を高調波やスプリアス等のノイズの干渉を受けない方に切り換えて用いることで、ノイズによる干渉を受けないようにすることが提案されている。
【０００５】
すなわち、この提案されている構成は、一方のクロック発振回路から発生する高調波やスプリアス等のノイズの周波数を記憶部に記憶させておき、受信する放送電波がその記憶部に記憶されている周波数と一致する場合に他方のクロック発振回路に切り換えるようにするというものである（例えば、特許文献１）。
【特許文献１】特開２００２-１７１１８１号公報
【発明の開示】
【発明が解決しようとする課題】
【０００６】
ところが、発振周波数の異なる２つのクロック発振回路をノイズの干渉を受けない方に切り換えて用いる構成では、クロック発振回路を一方から他方に切り換えたとき、マイクロコンピュータを構成するＣＰＵ（Central Processing Unit）の動作が切り換えたクロック発振回路の発振周波数に直ぐには追随できず、ＣＰＵの動作が一時的に停止したり不安定になったりすることから、受信周波数の高速での切り換えが行いずらくなるという不都合がある。
【０００７】
また、クロック発振回路から発生する高調波やスプリアス等のノイズは広い周波数範囲に亘って存在しており、しかも、それぞれのノイズについて放送電波に干渉を与える周波数範囲を記憶部に記憶させておく必要があることから、大きな記憶容量を有する記憶部が必要になり、そのことが低廉化を図るうえで支障になるという不都合もある。
【０００８】
本発明は、このような事情に鑑みてなされたもので、クロック発振回路から発生する高調波やスプリアス等のノイズの干渉による受信障害を確実に阻止することができると共に、受信周波数の高速での切り換えができ、しかも低廉化に寄与し得る選局装置及びラジオ受信機を提供することを目的とする。
【課題を解決するための手段】
【０００９】
上記目的を達成するため、請求項１の発明は、局部発振回路の発振周波数を設定変更するＰＬＬ回路に対し選局信号を送信することにより、所定の放送周波数帯域において所定のステップ周波数単位で設定された受信周波数に切り換え、その切り換えた受信周波数に放送電波が存在する場合に当該放送電波を受信するようにしたマイクロコンピュータにより自動チューニングされるスーパーヘテロダイン方式のラジオ受信機を構成するための選局装置であって、前記マイクロコンピュータを動作させるためのクロック信号を生成する所定の発振周波数を有する第１クロック発振回路と、受信する放送電波が前記第１クロック発振回路から発生するノイズにより干渉を受ける場合に当該第１クロック発振回路に代えて用いる当該第１クロック発振回路とは異なる発振周波数を有するクロック発振回路であり、発生するノイズにより当該放送電波に対して干渉を与えないように発振周波数が選択された第２クロック発振回路と、前記放送周波数帯域を前記第１クロック発振回路から発生するノイズにより放送電波に対して干渉を与える周波数範囲であって当該周波数範囲においては前記第２クロック発振回路から発生するノイズによっては当該放送電波に対して干渉を与えない所定幅の第１領域及び前記第１クロック発振回路から発生するノイズによっては干渉を与えない周波数範囲である所定幅の第２領域に区分すると共に、これら２種類の領域のうち第１領域が記憶された記憶部と、前記ステップ周波数単位で設定された受信周波数に切り換えるときに、次に切り換える予定の受信周波数が前記記憶部に記憶されている第１領域に属するか否かを判別する領域判別部と、次に切り換える予定の受信周波数が前記記憶部に記憶されている第１領域に属する場合で前記第１クロック発振回路を用いている場合に、前記第２クロック発振回路を一定時間だけ前記第１クロック発振回路と同時に駆動させ、その後に当該第２クロック発振回路の駆動のみに切り換える一方、次に切り換える予定の受信周波数が前記記憶部に記憶されている第１領域に属しない場合で前記第２クロック発振回路を用いている場合に、前記第１クロック発振回路を一定時間だけ前記第２クロック発振回路と同時に駆動させ、その後に当該第１クロック発振回路の駆動のみに切り換える切換制御部とを備えたことを特徴としている。
【００１０】
請求項２の発明は、請求項１に係るものにおいて、前記切換制御部が、第１クロック発振回路から第２クロック発振回路への切り換え又は第２クロック発振回路から第１クロック発振回路への切り換えを次の受信周波数に切り換える前に行うものであることを特徴としている。
【００１１】
請求項３の発明は、請求項１又は２に係るものにおいて、前記第１クロック発振回路及び前記第２クロック発振回路がそれぞれ発振素子と当該発振素子に直列接続された電子スイッチ素子とを含み、前記切換制御手段が各電子スイッチ素子をオンオフ制御することによりクロック発振回路を切り換えるものであることを特徴としている。
【００１２】
請求項４の発明は、局部発振回路の発振周波数を設定変更するＰＬＬ回路に対し選局信号を送信することにより、所定の放送周波数帯域において所定のステップ周波数単位で設定された受信周波数に切り換え、その切り換えた受信周波数に放送電波が存在する場合に当該放送電波を受信するようにしたマイクロコンピュータにより自動チューニングされるスーパーヘテロダイン方式のラジオ受信機であって、前記マイクロコンピュータを動作させるためのクロック信号を生成する所定の発振周波数を有する第１クロック発振回路と、受信する放送電波が前記第１クロック発振回路から発生するノイズにより干渉を受ける場合に当該第１クロック発振回路に代えて用いる当該第１クロック発振回路とは異なる発振周波数を有するクロック発振回路であり、発生するノイズにより当該放送電波に対して干渉を与えないように発振周波数が選択された第２クロック発振回路と、前記放送周波数帯域を前記第１クロック発振回路から発生するノイズにより放送電波に対して干渉を与える周波数範囲であって当該周波数範囲においては前記第２クロック発振回路から発生するノイズによっては当該放送電波に対して干渉を与えない所定幅の第１領域及び前記第１クロック発振回路から発生するノイズによっては干渉を与えない周波数範囲である所定幅の第２領域に区分すると共に、これら２種類の領域のうち第１領域が記憶された記憶部と、前記ステップ周波数単位で設定された受信周波数に切り換えるときに、次に切り換える予定の受信周波数が前記記憶部に記憶されている第１領域に属するか否かを判別する領域判別部と、次に切り換える予定の受信周波数が前記記憶部に記憶されている第１領域に属する場合で前記第１クロック発振回路を用いている場合に、前記第２クロック発振回路を一定時間だけ前記第１クロック発振回路と同時に駆動させ、その後に当該第２クロック発振回路の駆動のみに切り換える一方、次に切り換える予定の受信周波数が前記記憶部に記憶されている第１領域に属しない場合で前記第２クロック発振回路を用いている場合に、前記第１クロック発振回路を一定時間だけ前記第２クロック発振回路と同時に駆動させ、その後に当該第１クロック発振回路の駆動のみに切り換える切換制御部とを備えたことを特徴としている。
【００１３】
請求項５の発明は、請求項４に係るものにおいて、前記切換制御部が、第１クロック発振回路から第２クロック発振回路への切り換え又は第２クロック発振回路から第１クロック発振回路への切り換えを次の受信周波数に切り換える前に行うものであることを特徴としている。
【００１４】
請求項６の発明は、請求項４又は５に係るものにおいて、前記第１クロック発振回路及び前記第２クロック発振回路がそれぞれ発振素子と当該発振素子に直列接続された電子スイッチ素子とを含み、前記切換制御手段が各電子スイッチ素子をオンオフ制御することによりクロック発振回路を切り換えるものであることを特徴としている。
【発明の効果】
【００１５】
請求項１の発明によれば、次に切り換える予定の受信周波数が記憶部に記憶されている所定幅の第１領域に属するか否かを判別するようにしていることから、多数のノイズの周波数と一致するか否かを個別に判別する場合に比べて判別処理時間を短縮することができることに加え、クロック発振回路の切り換え時には両方のクロック発振回路を一定時間だけ同時に駆動し、その後に切り換えるクロック発振回路のみが駆動される構成としていることから、いきなりクロック発振回路を切り換える場合に比べてマイクロコンピュータを構成するＣＰＵに供給されるクロック信号の発振周波数が切り換えたクロック発振回路の発振周波数に短時間でスムーズに移譲されることになる。このため、クロック発振回路から発生するノイズの干渉による受信障害を確実に阻止することができることに加え、自動チューニングする場合の受信周波数の高速での切り換えができる選局装置が実現され、これにより信頼性の高いラジオ受信機が構成される。
【００１６】
また、記憶部には個々のノイズの周波数ではなくて所定幅の第１領域を記憶するようにしていることから、記憶容量が少なくて済むことで選局装置の低廉化が実現され、ひいてはラジオ受信機の低廉化が実現される。
【００１７】
請求項２の発明によれば、次の受信周波数への切り換えが行われるまでに第１クロック発振回路から第２クロック発振回路への切り換え、あるいは第２クロック発振回路から第１クロック発振回路への切り換えが行われるので、その切り換え予定の受信周波数に放送電波が存在する場合であっても受信障害が生じない状態で速やかにその受信周波数に切り換えられることになる。このため、クロック発振回路から発生するノイズの干渉による受信障害を確実に阻止し得る選局装置が実現され、これにより信頼性の高いラジオ受信機を構成することが可能になる。
【００１８】
また、請求項３の発明によれば、電子スイッチ素子がオンにされたクロック発振回路が駆動され、これにより受信した放送電波の周波数がクロック発振回路から発生する高調波やスプリアス等のノイズの干渉を受けないクロック発振回路に切り換えられることになる。このため、ノイズの干渉による受信障害を確実に阻止し得る選局装置が容易に実現され、これにより信頼性の高いラジオ受信機を構成することが可能になる。
【００１９】
請求項４の発明によれば、次に切り換える予定の受信周波数が記憶部に記憶されている第１領域に属するか否かを判別するようにしていることから、多数のノイズの周波数と一致するか否かを個別に判別する場合に比べて判別処理時間を短縮することができることに加え、クロック発振回路の切り換え時には両方のクロック発振回路を一定時間だけ同時に駆動し、その後に切り換えるクロック発振回路のみが駆動される構成としていることから、いきなりクロック発振回路を切り換える場合に比べてマイクロコンピュータを構成するＣＰＵに供給されるクロック信号の発振周波数が切り換えたクロック発振回路の発振周波数に短時間でスムーズに移譲されることになる。このため、クロック発振回路から発生するノイズの干渉による受信障害を確実に阻止することができると共に、自動チューニングする場合の受信周波数の高速での切り換えができるラジオ受信機が構成される。
【００２０】
また、記憶部には個々のノイズの周波数ではなくて所定幅の第１領域を記憶するようにしていることから、記憶容量が少なくて済むことでラジオ受信機の低廉化が実現される。
【００２１】
請求項５の発明によれば、次の受信周波数への切り換えが行われるまでに第１クロック発振回路から第２クロック発振回路への切り換え、あるいは第２クロック発振回路から第１クロック発振回路への切り換えが行われるので、その切り換え予定の受信周波数に放送電波が存在する場合であっても受信障害が生じない状態で速やかにその受信周波数に切り換えられることになる。このため、クロック発振回路から発生するノイズの干渉による受信障害を確実に阻止し得るラジオ受信機が実現される。
【００２２】
請求項６の発明によれば、電子スイッチ素子がオンにされたクロック発振回路が駆動され、これにより受信した放送電波の周波数がクロック発振回路から発生する高調波やスプリアス等のノイズの干渉を受けないクロック発振回路に切り換えられることになる。このため、ノイズの干渉による受信障害を確実に阻止し得るラジオ受信機が容易に実現される。
【発明を実施するための最良の形態】
【００２３】
図１は、本発明の一実施形態に係る選局装置が適用されるラジオ受信機の基本構成を示すブロック図である。この図において、ラジオ受信機１０は、民生用のものであり、放送電波を受信するアンテナ１２と、アンテナ１２から入力された受信信号を増幅する高周波増幅回路１４と、局部発振信号を生成する局部発振回路１６と、局部発振回路１６で生成される局部発振信号の周波数を設定変更するＰＬＬ（Phase-Locked Loop）回路１８と、高周波増幅回路１４で増幅された受信信号と局部発振回路１６で生成された局部発振信号とで受信信号を所定の中間周波数に変換する混合回路２０とを備えている。なお、局部発振回路１６及び混合回路２０により周波数変換回路が構成される。
【００２４】
また、ラジオ受信機１０は、混合回路２０で得られた中間周波信号を増幅する中間周波増幅回路２２と、増幅された中間周波信号を復調する復調回路２４と、音声をミュートするためのミュート回路２６と、復調された低周波信号を増幅する低周波増幅回路２８と、増幅された低周波信号を音声として出力する音声出力手段であるスピーカ３０と、ＰＬＬ回路１８に対し選局信号を送信する制御部（システムコントローラ）３２とを備えている。なお、このラジオ受信機１０は、本実施形態では、ＦＭ放送（ＦＭ）、短波放送（ＳＷ）、中波放送（ＭＷ）、長波放送（ＬＷ）等の広帯域の放送電波を受信可能に構成したものである。
【００２５】
また、ＰＬＬ回路１８は、例えば、プログラマブル分周器、位相比較器、ＶＣＯ（Voltage Controlled Oscillator）、低域フィルタ等からなる公知の構成のものであり、プログラマブル分周器に制御部３２から選局信号（周波数データ）が供給されることで出力される電圧が局部発振回路１６に設けられた可変容量ダイオードに印加され、これにより局部発振回路１６の発信周波数が可変されるようにしたものである。また、高周波増幅回路１４や混合回路２０等の他の回路も公知の構成のものであるため、それらの詳細な説明を省略する。
【００２６】
制御部３２は、マイクロコンピュータにより構成されたものであり、所定の演算処理を実行するＣＰＵ（Central Processing Unit）３２１と、所定の処理プログラム及びデータが記録されたＲＯＭ(Read-Only Memory)３２２と、データを一時的に記録するＲＡＭ(Random Access Memory)３２３と、ＣＰＵ３２１の動作速度を決めるクロック信号を生成する第１クロック発振回路３２４と、第１クロック発振回路３２４よりも低い発振周波数のクロック信号を生成する第２クロック発振回路３２５とを備えている。
【００２７】
また、制御部３２は、ＦＭ放送（ＦＭ）や短波放送（ＳＷ）等の各放送周波数帯域のうち第１クロック発振回路３２４から発生する高調波やスプリアス等のノイズにより放送電波に対して干渉を与える周波数範囲である所定幅の複数の干渉領域が記憶されているＲＯＭ等からなる記憶部３２６を備えている。
【００２８】
すなわち、各放送周波数帯域を、第１クロック発振回路３２４から発生するノイズにより放送電波に対して干渉を与える周波数範囲であって、当該周波数範囲においては第２クロック発振回路３２５から発生するノイズによっては当該放送電波に対して干渉を与えない所定幅の複数の第１領域（干渉領域）と、第１クロック発振回路３２４から発生するノイズによっては干渉を与えない周波数範囲である所定幅の複数の第２領域（非干渉領域）とに区分し、これら２種類の領域のうち第１領域（干渉領域）が記憶部３２６に記憶されている。この点の詳細については後述する。
【００２９】
なお、制御部３２を構成するＣＰＵ３２１には、受信する放送電波（放送局）を切り換える操作等を行うための操作スイッチ３４と、受信周波数等を表示する表示部３６とが接続されている。
【００３０】
第１クロック発振回路３２４は、例えば発振周波数（基本発振周波数）が７．２００ＭＨｚに設定されたもので、水晶発振子等からなる第１発振素子３２４ａと、この第１発振素子３２４ａに直列接続され、ＣＰＵ３２１からの指令信号に基づき供給される駆動信号によりオンオフ制御される電子スイッチ素子であるＮＰＮ型トランジスタからなる第１スイッチ部３２４ｂとから構成されている。この第１スイッチ部３２４ｂはベース抵抗３２４ｃを介して所定のベース電流が供給されることでオンとなり、これにより第１発振素子３２４ａが駆動されるようになっている。
【００３１】
また、第２クロック発振回路３２５は、例えば発振周波数（基本発振周波数）が４．３３２ＭＨｚに設定されたもので、水晶発振子等からなる第２発振素子３２５ａと、この第２発振素子３２５ａに直列接続され、ＣＰＵ３２１からの指令信号に基づき供給される駆動信号によりオンオフ制御される電子スイッチ素子であるＮＰＮ型トランジスタからなる第２スイッチ部３２５ｂとから構成されている。この第２スイッチ部３２５ｂはベース抵抗３２５ｃを介して所定のベース電流が供給されることでオンとなり、これにより第２発振素子３２５ａが駆動されるようになっている。
【００３２】
これら第１スイッチ部３２４ｂ及び第２スイッチ部３２５ｂは、第１スイッチ部３２４ｂがオンのときに第２スイッチ部３２５ｂがオフとなり、第２スイッチ部３２５ｂがオンのときに第１スイッチ部３２５ｂがオフとなるようになっており、いずれか一方のクロック発振回路（第１クロック発振回路３２４又は第２クロック発振回路３２５）が選択的に用いられることになるが、クロック発振回路の切り換え時においては、第１スイッチ部３２４ｂと第２スイッチ部３２５ｂの両方が一定時間（例えば、約６ｍｓ）だけオンとなり、第１クロック発振回路３２４と第２クロック発振回路３２５の両方が同時に駆動され、一定時間経過後（例えば、約６ｍｓ経過後）に切り換え予定の一方のクロック発振回路のみが駆動されるようになっている。
【００３３】
すなわち、水晶発振子等からなる第１発振素子３２４ａ及び第２発振素子３２５ａは、図２に示すように、駆動電圧が印加されてから所定の発振周波数及び発振電圧に達するまでに一定時間（例えば、約３ｍｓ）が必要となるため、いきなり第１クロック発振回路３２４（あるいは、第２クロック発振回路３２５）から第２クロック発振回路３２５（あるいは、第１クロック発振回路３２４）に切り換えたのでは、切り換えたクロック発振回路が安定した駆動状態になるまでの間、ＣＰＵ３２１が動作しないか不安定な状態になる。
【００３４】
このため、本実施形態では、第１クロック発振回路３２４（あるいは、第２クロック発振回路３２５）から第２クロック発振回路３２５（あるいは、第１クロック発振回路３２４）に切り換える場合、図３に示すように、一定時間（例えば、約６ｍｓ）だけ第１発振素子３２４ａ及び第２発振素子３２５ａの両方の発振素子に駆動電圧を供給するようにしている。これにより、制御部３２を構成するＣＰＵ３２１に供給されるクロック信号の発振周波数が切り換えたクロック発振回路の発振周波数に短時間でスムーズに移譲されることになり、受信周波数の高速での切り換えが可能になるにも拘わらずクロック発振回路から発生するノイズの干渉による受信障害を確実に阻止し得ることになる。
【００３５】
なお、第１，第２クロック発振回路３２４，３２５の第１，第２発振素子３２４ａ，３２５ａの各一端側には第１，第２スイッチ部３２４ｂ，３２５ｂを介してアースとの間に共通の安定用コンデンサ３２７が接続され、第１，第２発振素子３２４ａ，３２５ａの各他端側にはアースとの間に共通の安定用コンデンサ３２８が接続されている。
【００３６】
ここで、第１クロック発振回路３２４から発生する高調波やスプリアス等のノイズにより放送電波に対して干渉を与える所定幅の複数の第１領域（干渉領域）の記憶部３２６への書き込みは、次のような確認作業を経て行われたものである。すなわち、ラジオ受信機１０の設計段階で、シールドルーム内等の外来電波の存在しない環境下において、所定の発振周波数に設定してある第１クロック発振回路３２４を駆動させ、その高調波やスプリアス等のノイズが高周波増幅回路１４や局部発振回路１６等の高周波回路に混入する状況をスペクトラムアナライザにより観測し、各ノイズの周波数を記録紙等に記録する。
【００３７】
次に、第１クロック発振回路３２４よりも低い発振周波数に設定してある第２クロック発振回路３２５を駆動させ、その高調波やスプリアス等のノイズが高周波増幅回路１４や局部発振回路１６等の高周波回路に混入する状況をスペクトラムアナライザにより観測し、各ノイズの周波数を記録紙等に記録する。
【００３８】
このような観測をＦＭ放送（ＦＭ）、短波放送（ＳＷ）、中波放送（ＭＷ）、長波放送（ＬＷ）等の各放送周波数帯域（バンド）毎に、第１，第２クロック発振回路３２４，３２５を発振周波数の異なるものに順次取り換えて繰り返して行い、第１クロック発振回路３２４から発生する高調波やスプリアス等のノイズにより干渉を受ける放送電波（放送局）においては第２クロック発振回路３２５から発生する高調波やスプリアス等のノイズによっては干渉を受けないようになるまで繰り返し、第１，第２クロック発振回路３２４，３２５の発振周波数（基本発振周波数）を決定する。
【００３９】
このようなカット＆トライ法により第１，第２クロック発振回路３２４，３２５の発振周波数が決定された後、ＦＭ放送（ＦＭ）、短波放送（ＳＷ）、中波放送（ＭＷ）、長波放送（ＬＷ）等の各放送周波数帯域を、スペクトラムアナライザによる観測データに基づいて、第１クロック発振回路３２４から発生するノイズにより放送電波に対して干渉を与える周波数範囲であって当該周波数範囲においては第２クロック発振回路３２５から発生するノイズによっては当該放送電波に対して干渉を与えない所定幅の第１領域（干渉領域）と、第１クロック発振回路３２４から発生するノイズによっては干渉を与えない周波数範囲である所定幅の第２領域（非干渉領域）とに区分する。
【００４０】
例えば、米国におけるＦＭ放送バンドについて具体的に説明すると、米国におけるＦＭ放送バンドにおいては、発振周波数を７.２００ＭＨｚに設定した第１クロック発振回路３２４から発生するノイズは４０数個存在し、発振周波数を４.３３２ＭＨｚに設定した第２クロック発振回路３２５から発生するノイズは６０数個存在する。第１クロック発振回路３２４及び第２クロック発振回路３２５は、図４に示すように、第１クロック発振回路３２４から発生するノイズにより干渉を受ける放送電波（放送局）においては第２クロック発振回路３２５から発生するノイズによっては干渉を受けないように各発振周波数が設定されている。なお、図４における上部の図はＦＭ放送バンドの一部の周波数範囲を示し、下部の図は上部の楕円で囲んだ部分を拡大して示すものである。
【００４１】
このように各発振周波数が設定された第１クロック発振回路３２４及び第２クロック発振回路３２５のうち、第１クロック発振回路３２４におけるＦＭ放送バンドの全周波数範囲を、スペクトラムアナライザによる観測データに基づいて、第１クロック発振回路３２４から発生するノイズによりステップ周波数単位で設定されている放送電波に対して干渉を与える周波数範囲であって、当該周波数範囲においては第２クロック発振回路３２５から発生するノイズによっては当該放送電波に対して干渉を与えない周波数範囲を逐一確認すると共に、第１クロック発振回路３２４から発生するノイズによってはステップ周波数単位で設定されている放送電波に対して干渉を与えない周波数範囲を逐一確認する。
【００４２】
このようにして確認した第１クロック発振回路３２４から発生するノイズにより放送電波に対して干渉を与える周波数範囲であって、当該周波数範囲においては第２クロック発振回路３２５から発生するノイズによっては当該放送電波に対して干渉を与えない周波数範囲を第１領域（干渉領域）とし、第１クロック発振回路３２４から発生するノイズによっては放送電波に対して干渉を与えない周波数範囲を第２領域（非干渉領域）とする。
【００４３】
これらの第１領域（干渉領域）と第２領域（非干渉領域）とは、図５に示すように、第１クロック発振回路３２４の発振周波数を７.２００ＭＨｚに設定し、第２クロック発振回路３２５の発振周波数を４.３３２ＭＨｚに設定した本実施形態では、それぞれ１０個ずつ存在し、これら２種類の領域のうちの１０個の第１領域が記憶部３２６に書き込まれる。
【００４４】
この１０個の第１領域は、本実施形態では、８８.０〜８８.５ＭＨｚ、８９.９〜９０.２ＭＨｚ、９１.５〜９２.２ＭＨｚ、９３.３〜９３.７ＭＨｚ、９６.９〜９７.３ＭＨｚ、９８.７〜９９.２ＭＨｚ、１００.６〜１０１.０ＭＨｚ、１０２.３〜１０２.８ＭＨｚ、１０５.７〜１０５.９ＭＨｚ、及び、１０７.７〜１０８.０ＭＨｚであり、記憶部３２６には各領域の下限値と上限値とが書き込まれる。なお、米国におけるＦＭ放送バンドのステップ周波数が１００ＫＨｚである場合、これら各第１領域にはそれぞれ複数の放送電波（放送局）が存在し得ることになる。
【００４５】
ここでは、米国のＦＭ放送バンドについて説明したが、他の放送バンド（放送周波数帯域）についても同様の方法で第１領域と第２領域とに区分し、第１領域を記憶部３２６に書き込む。このため、各放送周波数帯域毎にノイズの周波数を記憶部３２６に個別に記憶させる場合に比べ、記憶部３２６の記憶容量を大幅に削減することができる。
【００４６】
なお、世界各国の放送局は必ず規定されたステップ周波数単位の周波数上に存在することになるため、ＰＬＬ回路１８に送信する選局信号をステップ周波数単位（間隔）で設定するようにしておくことで、第１，第２クロック発振回路３２４，３２５から発生するノイズのうち放送電波に対して干渉を与える虞のあるノイズ以外のノイズについては無視することができ、この点からも記憶部３２６の記憶容量を削減することができる。
【００４７】
また、ＣＰＵ３２１には、受信機能制御部３２１ａ、第１判別部３２１ｂ、第２判別部３２１ｃ、第３判別部３２１ｄ、第４判別部３２１ｅ及び切換制御部３２１ｆとしての機能実現手段を備えている。受信機能制御部３２１ａは、操作スイッチ３４を操作することにより実行される自動チューニング機能やミュート機能等のラジオ受信機としての種々の機能を制御するものである。例えば、自動チューニング機能について言えば、図略の設定スイッチにより所定の受信バンドに設定した後、オートシーク選局を選択して操作スイッチ３４をオン操作すると、ＰＬＬ回路１８に対しステップ周波数単位で設定された選局信号が所定のタイミングで順次供給される。これにより、ＰＬＬ回路１８から局部発振回路１６に供給される電圧が可変されることにより局部発振回路１６の発振周波数が低い値から高い値（又は、高い値から低い値）に順次変更され、ステップ周波数単位で設定された受信周波数に順次切り換えられることになる。
【００４８】
第１判別部３２１ｂは、ステップ周波数単位で設定された受信周波数に切り換えるときに、その切り換え予定の受信周波数が記憶部３２６に記憶されている第１クロック発振回路３２４のいずれかの第１領域に属するか否か（すなわち、記憶部３２６に記憶されている各領域の下限値と上限値の範囲内に存在するか否か）を判別するものである。
【００４９】
第２判別部３２１ｃは、ＰＬＬ回路１８がロックされたか否かを判別するものである。この判別は、制御部３２からＰＬＬ回路１８に対し選局信号が送信された後にロックビットの状態が「ハイ」（又は、「ロー」）になったか否かを検出することにより実行される。
【００５０】
第３判別部３２１ｄは、切り換えられた受信周波数に放送電波（放送局）が存在するか否かを判別するものである。この判別は、放送電波の周波数と局部発振回路１６の発振周波数とにより生成される中間周波信号（例えば、ＦＭ放送の場合には、１０．７ＭＨｚ）が存在するか否かを検出することで実行される。すなわち、切り換え予定の受信周波数に放送電波が存在する場合には所定の中間周波信号が存在し、切り換え予定の受信周波数に放送電波が存在しない場合には中間周波信号が存在しないので、この中間周波信号の有無により判別が可能となる。
【００５１】
第４判別部３２１ｅは、放送電波を受信している状態において、操作スイッチ３４が新たに操作されて次の選局指示が行われた否かを判別する。この判別は、放送電波を受信しているときに操作スイッチ３４から送出された操作信号を検出することで実行される。
【００５２】
切換制御部３２１ｆは、次に切り換える予定の受信周波数が記憶部３２６に記憶されている第１領域に属する場合で第１クロック発振回路３２４を用いている場合に、第１クロック発振回路３２４から第２クロック発振回路３２５に切り換える一方、次に切り換える予定の受信周波数が記憶部３２６に記憶されている第１領域に属しない場合で第２クロック発振回路３２５を用いている場合に、第２クロック発振回路３２５から第１クロック発振回路３２４に切り換えるものである。
【００５３】
すなわち、具体的には、切換制御部３２１ｆは、切り換え予定の受信周波数が第１領域に属する場合で第１クロック発振回路３２４を用いている場合、一定時間（例えば、約６ｍｓ）だけ第１スイッチ部３２４ｂへの駆動信号の供給と同時に第２スイッチ部３２５ｂにも駆動信号を供給することで、瞬時的に第１クロック発振回路３２４と第２クロック発振回路３２５とが同時に駆動されるようにし、その後に第１スイッチ部３２４ｂへの駆動信号の供給を停止し、第２スイッチ部３２５ｂへの駆動信号の供給を継続することで、第２クロック発振回路３２５のみが駆動されるようにしている。
【００５４】
また、切換制御部３２１ｆは、切り換え予定の受信周波数が第２領域に属する場合で第２クロック発振回路３２５を用いている場合、一定時間（例えば、約６ｍｓ）だけ第２スイッチ部３２５ｂへの駆動信号の供給と同時に第１スイッチ部３２４ｂにも駆動信号を供給することで、瞬時的に第１クロック発振回路３２４と第２クロック発振回路３２５とが同時に駆動されるようにし、その後に第２スイッチ部３２５ｂへの駆動信号の供給を停止し、第１スイッチ部３２４ｂへの駆動信号の供給を継続することで、第１クロック発振回路３２５のみが駆動されるようにしている。
【００５５】
これにより、上述したように、制御部３２を構成するＣＰＵ３２１に供給されるクロック信号の発振周波数が切り換えたクロック発振回路の発振周波数に短時間でスムーズに移譲されることになり、受信周波数の高速での切り換えが可能になるにも拘わらずクロック発振回路から発生するノイズの干渉による受信障害を確実に阻止し得ることになる。なお、ラジオ受信機１０の動作初期時においては、第１クロック発振回路３２４が作動するように設定されている。
【００５６】
図６及び図７は、制御部３２のチューニング動作の一例を概略的に示すフローチャートである。ここでは、米国のＦＭ放送バンドでオートシーク選局を選択した場合の動作を例に説明する。また、ラジオ受信機１０の電源をオンにした直後においては、制御部３２は第１クロック発振回路３２４により動作するようにプログラムされている。なお、米国のＦＭ放送バンドは、８７．５〜１０７．９ＭＨｚの周波数範囲に設定され、例えば１００ＫＨｚ間隔（ステップ周波数１００ＫＨｚの場合）で放送局が存在し得るようになっている。
【００５７】
いま、ラジオ受信機１０の電源がオンにされた状態において、操作スイッチ３４を操作すると、次の切り換え予定の受信周波数（例えば、８７．５ＭＨｚから８７．６ＭＨｚへの切り換え）が記憶部３２６に記憶されている複数の第１領域（干渉領域）の何れかに属するか否かが第１判別部３２１ｂにより判別される（ステップＳ１）。すなわち、切り換え予定の受信周波数が各第１領域の周波数範囲内にあるか否かが、例えば低い周波数範囲の領域から順次判別され、所定の周波数範囲の領域に属すると判別されると、その時点で判別動作は終了する。
【００５８】
このステップＳ１での判別が否定されると、次の受信周波数に切り換えるための選局信号（例えば、８７．５ＭＨｚから８７．６ＭＨｚへ切り換えるための選局信号）が受信機能制御部３２１ａによりＰＬＬ回路１８に送信され（ステップＳ３）、引き続いてＰＬＬ回路１８がロックされたか否かが第２判別部３２１ｃにより判別される（ステップＳ５）。このステップＳ５での判別が肯定されると、切り換えられた受信周波数に放送電波が存在しているか否かが第３判別部３２１ｄにより判別される（ステップＳ７）。なお、ステップＳ５での判別が否定されたときは、判別が肯定されるまで待機する。
【００５９】
ステップＳ７での判別が肯定されると、その切り換えられた受信周波数での放送電波が受信され、受信障害の生じない良好な受信状態が維持される。なお、ＰＬＬ回路１８がロックされるまでのチューニング動作が継続されている期間は、受信機能制御部３２１ａによりミュート回路２６が作動されて音声出力がミュートされるようになっており、不要な雑音等がスピーカ３０から出力されないようになっている。
【００６０】
次いで、放送電波が受信されている状態において、操作スイッチ３４が操作されたか否か（すなわち、次の選局操作が行われたか否か）が第４判別部３２１ｅにより判別され（ステップＳ９）、この判別が否定されると放送電波の受信状態が継続される。また、ステップＳ７での判別が否定されたとき、及び、ステップＳ９での判別が肯定されたときは、ステップＳ１に移行して以降のステップが繰り返し実行される。
【００６１】
なお、ステップＳ７又はステップＳ９からステップＳ１に移行したとき、予め設定されているステップ周波数単位での次の切り換え予定の受信周波数（例えば、８７．６ＭＨｚから８７．７ＭＨｚへの切り換え）が記憶部３２６に記憶されている複数の第１領域（干渉領域）の何れかに属するか否かが第１判別部３２１ｂにより判別されることになる。
【００６２】
一方、ステップＳ１での判別が肯定されると、切り換え予定の受信周波数（例えば、８７．９ＭＨｚから８８．０ＭＨｚへの切り換え）に放送電波が存在している場合に受信障害が生じる虞があるので、実際に放送電波が存在しているかどうかとは関係なく切換制御部３２１ｆにより第１クロック発振回路３２４から第２クロック発振回路３２５への切り換えが行われる（ステップＳ１１）。
【００６３】
この切り換えにあたっては、上述したように、一定時間（例えば、約６ｍｓ）だけ第１スイッチ部３２４ｂへの駆動信号の供給と同時に第２スイッチ部３２５ｂにも駆動信号を供給することで、瞬時的に第１クロック発振回路３２４と第２クロック発振回路３２５とが同時に駆動されるようにし、その後に第１スイッチ部３２４ｂへの駆動信号の供給を停止し、第２スイッチ部３２５ｂへの駆動信号の供給を継続することで、第２クロック発振回路３２５のみが駆動されるようにしている。
【００６４】
そして、この第１クロック発振回路３２４から第２クロック発振回路３２５への切り換えと略同時に、第２クロック発振回路３２５のクロック周波数による動作状態で、次の受信周波数に切り換えるための選局信号（例えば、８７．９ＭＨｚから８８．０ＭＨｚへ切り換えるための選局信号）が受信機能制御部３２１ａによりＰＬＬ回路１８に送信され（ステップＳ１３）、引き続いてＰＬＬ回路１８がロックされたか否かが第２判別部３２１ｃにより判別される（ステップＳ１５）。
【００６５】
このステップＳ１５での判別が肯定されると、切り換えられた受信周波数に放送電波が存在しているか否かが第３判別部３２１ｄにより判別される（ステップＳ１７）。なお、ステップＳ１５での判別が否定されたときは、判別が肯定されるまで待機する。そして、ステップＳ１７での判別が肯定されると、その切り換えられた受信周波数での放送電波が受信され、受信障害の生じない良好な受信状態が維持される。なお、上記したように、ＰＬＬ回路１８がロックされるまでのチューニング動作が継続されている期間は、受信機能制御部３２１ａによりミュート回路２６が作動されて音声出力がミュートされるようになっており、不要な雑音等がスピーカ３０から出力されないようになっている。
【００６６】
次いで、放送電波が受信されている状態において、操作スイッチ３４が操作されたか否か（すなわち、次の選局操作が行われたか否か）が第４判別部３２１ｅにより判別され（ステップＳ１９）、この判別が否定されると放送電波の受信状態が継続される。また、ステップＳ１７での判別が否定されたとき、及び、ステップＳ１９での判別が肯定されたときは、次に切り換え予定の受信周波数が記憶部３２６に記憶されている複数の第１領域（干渉領域）の何れかに属するか否かが第１判別部３２１ｂにより判別される（ステップＳ２１）。
【００６７】
すなわち、ステップＳ１７又はステップＳ１９からステップＳ２１に移行したとき、予め設定されているステップ周波数単位での次の切り換え予定の受信周波数が記憶部３２６に記憶されている複数の第１領域（干渉領域）の何れかに属するか否かが第１判別部３２１ｂにより判別されることになる。
【００６８】
そして、ステップＳ２１での判別が否定されると、切り換え予定の受信周波数に放送電波が存在している場合に受信障害が生じる虞があるので、実際に放送電波が存在しているかどうかとは関係なく切換制御部３２１ｆにより第２クロック発振回路３２５から第１クロック発振回路３２４への切り換えが行われ（ステップＳ２３）、その後にステップＳ３に移行して以降のステップが繰り返し実行される。
【００６９】
すなわち、ステップＳ２１での判別が否定されたときは、少なくとも第１クロック発振回路３２４により生じるノイズの干渉を受ける虞がないので、第２クロック発振回路３２５から第１クロック発振回路３２４への切り換えが行われるようになっている。勿論、第２クロック発振回路３２５のままでも、受信周波数によっては第２クロック発振回路３２５により生じるノイズの干渉を受ける虞がない場合もあり得るが、本実施形態では第２クロック発振回路３２５により生じるノイズの干渉領域あるいは非干渉領域については記憶部３２６に記憶されていないので、受信障害の生じる虞のない第１クロック発振回路３２４への切り換えが行われることになる。
【００７０】
この第２クロック発振回路３２５から第１クロック発振回路３２４への切り換えにあたっては、第１クロック発振回路３２４から第２クロック発振回路３２５への切り換えの場合と同様に、一定時間（例えば、約６ｍｓ）だけ第２スイッチ部３２５ｂへの駆動信号の供給と同時に第１スイッチ部３２４ｂにも駆動信号を供給することで、瞬時的に第１クロック発振回路３２４と第２クロック発振回路３２５とが同時に駆動されるようにし、その後に第２スイッチ部３２５ｂへの駆動信号の供給を停止し、第１スイッチ部３２４ｂへの駆動信号の供給を継続することで、第１クロック発振回路３２４のみが駆動されるようにしている。
【００７１】
また、ステップＳ２３からステップＳ３に移行したとき、第１クロック発振回路３２４のクロック周波数による動作状態で、次の受信周波数に切り換えるための選局信号が受信機能制御部３２１ａによりＰＬＬ回路１８に送信されることになる。また、ステップＳ２１での判別が肯定されると、第２クロック発振回路３２５により生じるノイズの干渉を受ける虞がないので、そのままステップＳ１３に移行して以降のステップが繰り返し実行される。
【００７２】
本発明は、上記実施形態のように構成されており、ステップ周波数単位で設定されている受信周波数に切り換えるときに、次に切り換える予定の受信周波数が記憶部３２６に記憶されている所定幅の第１領域に属する場合で第１クロック発振回路３２４を用いている場合に、一定時間だけ第２クロック発振回路３２５を第１クロック発振回路３２４と同時に駆動させた後に第２クロック発振回路３２５の駆動のみに切り換える一方、次に切り換える予定の受信周波数が記憶部３２６に記憶されている所定幅の第１領域に属しない場合で第２クロック発振回路３２５を用いている場合に、一定時間だけ第１クロック発振回路３２４を第２クロック発振回路３２５と同時に駆動させた後に第１クロック発振回路３２４の駆動のみに切り換えるようにしているので、簡単な構成であるにもかかわらず第１，第２クロック発振回路３２４，３２５から発生する高調波やスプリアス等のノイズによる受信障害が確実に阻止されることになる。
【００７３】
また、上記実施形態では、次の受信周波数に切り換えるための選局信号がＰＬＬ回路１８に送信される前に、その切り換え予定の受信周波数が記憶部３２６に記憶されている第１領域に属するか否かが判別され、ノイズの干渉を受ける虞がある場合で第１クロック発振回路３２４を用いている場合に、ノイズの干渉を受けない第２クロック発振回路３２５に切り換えられる一方、第１クロック発振回路３２４からのノイズの干渉を受ける虞がない場合で第２クロック発振回路３２５を用いている場合に第１クロック発振回路３２４に切り換えられるようになっているので、ノイズを放送電波と誤認識して受信するようなことがなくなる結果、ノイズの干渉を受けることなく放送電波を確実に受信することができるようになる。
【００７４】
なお、本発明は、上記実施形態のものに限定されるものではなく、以下に述べるような種々の変形態様を必要に応じて採用することができる。
【００７５】
（１）上記実施形態では、記憶部３２６に図５に示す所定幅の複数の第１領域を記憶させるようにしているが、これに限るものではない。例えば、図５に示す所定幅の複数の第２領域を第１領域の場合と同様の要領で記憶部３２６に記憶させるようにしてもよい。このように、第２領域を記憶させる場合、第１判別部３２１ｂは次に切り換える予定の受信周波数が第２領域に属するか否かを判別することになる。
【００７６】
また、第２領域を記憶させる場合、切換制御部３２１ｆは、次に切り換える予定の受信周波数が記憶部３２６に記憶されている第２領域に属する場合で第２クロック発振回路３２５を用いている場合に、第１クロック発振回路３２４を一定時間だけ第２クロック発振回路３２５と同時に駆動させ、その後に第１クロック発振回路３２４の駆動のみに切り換える一方、次に切り換える予定の受信周波数が記憶部３２６に記憶されている第２領域に属しない場合で第１クロック発振回路３２４を用いている場合に、第２クロック発振回路３２５を一定時間だけ第１クロック発振回路３２４と同時に駆動させ、その後に当該第２クロック発振回路３２５の駆動のみに切り換えることになる。
【００７７】
（２）上記実施形態では、選局動作をオートシーク選局の場合について説明しているが、プリセット選局やマニュアル選局の場合でも同様の選局動作を行わせることができる。例えば、プリセット選局の場合、操作スイッチ３４を操作すると、選局しようとする予め設定された受信周波数に切り換える前にその切り換え予定の受信周波数が記憶部３２６に記憶されている第１領域に属するか否かを第１判別部３２１ｂにより判別し、第１領域に属する場合で第１クロック発振回路３２４を用いている場合には切換制御部３２１ｆによりノイズの干渉を受けない第２クロック発振回路３２５に切り換えるようにすればよい。
【００７８】
また、記憶部３２６に第２領域を記憶させる場合では、選局しようとする予め設定された受信周波数に切り換える前にその切り換え予定の受信周波数が記憶部３２６に記憶されている第２領域に属するか否かを第１判別部３２１ｂにより判別し、第２領域に属する場合で第２クロック発振回路３２５を用いている場合には切換制御部３２１ｆによりノイズの干渉を受けない第１クロック発振回路３２４に切り換えるようにすればよい。
【００７９】
（３）上記実施形態では、ラジオ受信機１０の全体構成を説明しているが、本発明を、ラジオ受信機１０を構成するための選局装置とすることも可能である。この場合、選局装置は、少なくとも局部発振回路１６、ＰＬＬ回路１８、混合回路２０及び制御部３２を含んで構成されておればよい。勿論、高周波増幅回路１４、中間周波増幅回路２２、復調回路２４等のうちの１乃至複数の回路を含むようにすることも可能である。要は、局部発振回路の発振周波数を設定変更するＰＬＬ回路に対し選局信号を送信する制御部を備えたスーパーヘテロダイン方式のラジオ受信機が構成可能となるようになっておればよい。
【００８０】
（４）上記実施形態では、ＣＰＵ３２１を動作させるためのクロック発振回路として、第１クロック発振回路３２４と第２クロック発振回路３２５との２つのクロック発振回路を備えているが、これに限るものではない。例えば、３つ以上のクロック発振回路を備えたものとすることも可能である。この場合、切換制御部３２１ｆは、３つ以上のクロック発振回路のうちノイズの干渉を受けない１の発振回路に切り換えるようになっておればよい。
【００８１】
（５）上記実施形態では、第１クロック発振回路３２４の基本発振周波数が７.２００ＭＨｚに設定され、第２クロック発振回路３２５の基本発振周波数が４.３３２ＭＨｚに設定されたものであるが、これに限るものではない。また、第１クロック発振回路３２４の基本発振周波数が第２クロック発振回路３２５の基本発振周波数よりも高い値に設定されているが、これに限るものではない。例えば、第２クロック発振回路３２５の基本発振周波数が第１クロック発振回路３２４の基本発振周波数よりも低い値に設定されていてもよい。要は、受信する放送電波が第１クロック発振回路３２４から発生するノイズにより干渉を受ける場合に、第２クロック発振回路から発生するノイズによっては干渉を受けないように、第１クロック発振回路３２４と第２クロック発振回路３２５の各基本発振周波数が設定されておればよい。
【００８２】
（６）上記実施形態では、予め設定された受信周波数に切り換える前に、その切り換え予定の受信周波数が記憶部３２６に記憶されている第１領域に属する場合で第１クロック発振回路３２４を用いている場合に、第２クロック発振回路３２５に切り換える一方、切り換え予定の受信周波数が記憶部３２６に記憶されている第１領域に属しない場合で第２クロック発振回路３２５を用いている場合に、第１クロック発振回路３２４に切り換えるようにしているが、これに限るものではない。
【００８３】
例えば、予め設定された受信周波数に切り換えた後に、その切り換えた受信周波数が記憶部３２６に記憶されている第１領域に属する場合で第１クロック発振回路３２４を用いている場合に、第２クロック発振回路３２５に切り換える一方、その切り換えた受信周波数が記憶部３２６に記憶されている第１領域に属しない場合で第２クロック発振回路３２５を用いている場合に、第１クロック発振回路３２４に切り換えるようにすることも可能である。この場合、他のクロック発振回路への切り換えが完了するまでミュート回路２６を作動させておけばよい。
【００８４】
また、記憶部３２６に第２領域を記憶させる場合では、予め設定された受信周波数に切り換えた後に、その切り換えた受信周波数が記憶部３２６に記憶されている第２領域に属する場合で第２クロック発振回路３２５を用いている場合に、第１クロック発振回路３２５に切り換える一方、その切り換えた受信周波数が記憶部３２６に記憶されている第２領域に属しない場合で第１クロック発振回路３２４を用いている場合に、第２クロック発振回路３２５に切り換えるようにすればよい。この場合も、他のクロック発振回路への切り換えが完了するまでミュート回路２６を作動させておけばよい。
【図面の簡単な説明】
【００８５】
【図１】本発明の一実施形態に係る選局装置が適用されるラジオ受信機の基本構成を示すブロック図である。
【図２】クロック発振回路の立ち上がり状態を示す波形図である。
【図３】第１クロック発振回路及び第２クロック発振回路の切り換え時の動作を説明するための波形図である。
【図４】第１クロック発振回路及び第２クロック発振回路から発生するノイズの観測波形を示す図である。
【図５】放送周波数帯域を第１領域と第２領域とに区分した状態を示す図である。
【図６】ラジオ受信機の実施形態における制御手段のチューニング動作を説明するためのフローチャートである。
【図７】ラジオ受信機の実施形態における制御手段のチューニング動作を説明するためのフローチャートである。
【符号の説明】
【００８６】
１０  ラジオ受信機
１４  高周波増幅回路
１６  局部発振回路
１８  ＰＬＬ回路
２０  混合回路
２２  中間周波増幅回路
２４  復調回路
２６  ミュート回路
２８  低周波増幅回路
３０  スピーカ
３２  制御部
３２４  第１クロック発振回路
３２５  第２クロック発振回路
３２６  記憶部
３２１ａ  受信機能制御部
３２１ｂ  第１判別部（領域判別部）
３２１ｃ  第２判別部
３２１ｄ  第３判別部
３２１ｅ  第４判別部
３２１ｆ  切換制御部
３２４ａ  第１発振素子（発振素子）
３２５ａ  第２発振素子（発振素子）
３２４ｂ  第１スイッチ部（電子スイッチ素子）
３２５ｂ  第２スイッチ部（電子スイッチ素子）
【図１】
2006325252.tif 000003
【図２】
2006325252.tif 000004
【図３】
2006325252.tif 000005
【図４】
2006325252.tif 000006
【図５】
2006325252.tif 000007
【図６】
2006325252.tif 000008
【図７】
2006325252.tif 000009